(57)【要約】【課題】  種々の形状の物品を簡易に安定保持することができるという汎用性と、物品を保持する保持部材の一部分が仮に損傷しても、必要最小限の交換で済ませることができるという経済性とを兼ね備えた梱包箱を提供する。【解決手段】  中央部に開口部２ａが設けられた一対の枠体２、２と、各枠体２、２の開口部２ａの一部を覆うように該開口部２ａに張り渡した状態で各枠体２、２に取り付けられた帯状弾性部材３、３とから構成され、前記一対の枠体２、２の開口部２ａを互いに対向させ、対向する帯状弾性部材３、３で物品Ｗを保持する構成としてある。【選択図】      図１
2007030892.tif 000002
【特許請求の範囲】
【請求項１】
中央部に開口部が設けられた一対の枠体と、
各枠体の開口部の一部を覆うように該開口部に張り渡した状態で各枠体に取り付けられた帯状弾性部材とから構成され、
前記一対の枠体の開口部を互いに対向させ、
対向する帯状弾性部材で物品を保持することを特徴とする梱包箱。
【請求項２】
前記帯状弾性部材は、前記各枠体に着脱可能に取り付けられていることを特徴とする請求項１に記載の梱包箱。
【請求項３】
前記一対の枠体を収納する外箱を備えたことを特徴とする請求項１または請求項２に記載の梱包箱。
【発明の詳細な説明】
【技術分野】
【０００１】
本発明は、梱包箱に関し、さらに詳しくは、種々の形状の物品を簡易に安定保持することができるという汎用性と、物品を保持する保持部材の一部分が仮に損傷しても、必要最小限の交換で済ませることができるという経済性とを兼ね備えた梱包箱を提供するものである。
【背景技術】
【０００２】
従来、梱包箱の一例として、薄膜の柔軟変形とその張力とによって保持力を発生する、例えば、ポリウレタン系熱可塑性エラストマー等の弾性フィルムを張り渡した２つのフィルム枠を用いて、外箱の中で前記弾性フィルムの間に物品を挟んで緩衝保持するようにした梱包箱が公知である（例えば、特許文献１参照。）。
【０００３】
【特許文献１】特開２００１−１９２０６７号公報（第２―６頁（請求項４６）、第１６図）
【発明の開示】
【発明が解決しようとする課題】
【０００４】
詳述すると、前記従来の梱包箱Ｂは、図５に示すように、フィルム枠２０により物品Ｗを挟み込むことで発生する押圧力と、弾性フィルム３０が前記物品Ｗの形状にフィットして伸ばされる作用とによって、前記物品Ｗを外箱１０の中で宙吊りするように緩衝保持するものである。しかしながら、前記従来の梱包箱Ｂには次のような問題があった。
【０００５】
すなわち、図５（ａ）に示すように、鋭利な突起部分Ｓのある物品Ｗを前記従来の梱包箱Ｂに梱包しようとすると、弾性フィルム３０の前記物品Ｗの突起部分Ｓと当接する部分が損傷し、その結果、物品Ｗを保持できなくなる恐れがある。
【０００６】
また、図５（ｂ）に示すように、上下で非対称の形状の物品Ｗを前記従来の梱包箱Ｂに梱包しようとすると、前記弾性フィルム３０は、前記物品Ｗの嵩高い部分にフィットするため、Ｗｂ面（嵩が高い部分の面）には弾性フィルム３０が面接触で密着するが、Ｗａ面（嵩が低い部分の面）には前記フィルム３０が面接触で密着しないことになる。その結果、この段差部分で保持力にばらつきが生じ、前記物品Ｗの位置ずれ、振動、脱落の原因となっていた。このように、前記従来の梱包箱Ｂでは、梱包できる物品Ｗの形状が限られてしまうという問題があった。
【０００７】
さらに、前記従来の梱包箱Ｂでは、前記弾性フィルム３０の一部分が損傷した場合、その部分のみを補修することは構造上不可能であるため、前記弾性フィルム３０の一部分が損傷する度に新品の弾性フィルム３０と交換しなければならず、経済性の面でも問題があった。
【０００８】
したがって、本発明は、前記問題点を解決することを課題としてなされたものであり、その目的とするところは、種々の形状の物品を簡易に安定保持することができるという汎用性と、物品を保持する保持部材の一部分が仮に損傷しても、必要最小限の交換で済ませることができるという経済性とを兼ね備えた梱包箱を提供するものである。
【課題を解決するための手段】
【０００９】
前記課題を解決するために、請求項１に記載の梱包箱における発明では、中央部に開口部が設けられた一対の枠体と、各枠体の開口部の一部を覆うように該開口部に張り渡した状態で各枠体に取り付けられた帯状弾性部材とから構成され、前記一対の枠体の開口部を互いに対向させ、対向する帯状弾性部材で物品を保持することを特徴としたものである。
【００１０】
請求項２に記載の梱包箱における発明では、請求項１に記載の発明において、前記帯状弾性部材は、前記各枠体に着脱可能に取り付けられていることを特徴としたものである。
【００１１】
請求項３に記載の梱包箱における発明では、請求項１または請求項２に記載の発明において、前記一対の枠体を収納する外箱を備えたことを特徴としたものである。
【発明の効果】
【００１２】
本発明にかかる梱包箱は、中央部に開口部が設けられた一対の枠体と、各枠体の開口部の一部を覆うように該開口部に張り渡した状態で各枠体に取り付けられた帯状弾性部材とから構成され、前記一対の枠体の開口部を互いに対向させ、対向する帯状弾性部材で物品を保持する構成としてある。
【００１３】
したがって、伸縮性および柔軟性を有する帯状弾性部材が物品の形状に沿って伸び、その張力により物品を前記一対の枠体の内部空間に中空状態で保持するので、外部からの衝撃を効果的に緩衝して前記物品の損傷を防止することができる。しかも、従来のように、弾性フィルムで物品の全面を覆わないため通気性は極めて良好である。
【００１４】
また、前記帯状弾性部材は、前記各枠体に着脱可能に取り付けられている構成となっている。
【００１５】
したがって、鋭利な突起部分が形成された物品を前記一対の枠体で保持する場合、帯状弾性部材の取り付け位置を前記物品の突起部分を回避できる位置に変更し、当該物品を保持することができる。その結果、本発明にかかる梱包箱は、種々の形状の物品を梱包できるという汎用性があり、また、前記帯状弾性部材の一部分が仮に損傷しても、該当する帯状弾性部材のみを交換するだけでよいので経済性にも優れるという効果を奏する。
【００１６】
また、前記帯状弾性部材の張力を変更することも可能となるので、例えば、上下で非対称の形状の物品を前記一対の枠体で保持する場合、物品の形状、体積等の異なる部分に応じて適宜、張力が異なる帯状弾性部材を用いることで物品を適切な保持力で保持できる。その結果、本発明にかかる梱包箱は、種々の形状の物品を梱包できるという汎用性があるという効果を奏する。
【００１７】
さらに、前記一対の枠体を収納する外箱を備えた構成となっている。
【００１８】
したがって、物品が保持された前記一対の枠体を前記外箱に収納する際に、帯状弾性部材の反発力で前記一対の枠体が互いに離反しないように係止するための構成部品が不要となる。
【発明を実施するための最良の形態】
【００１９】
つぎに、本発明にかかる梱包箱の実施形態を添付図面に従って説明する。
【実施例１】
【００２０】
図１は、本発明にかかる梱包箱Ｂの中に物品Ｗを梱包する状態を説明する分解斜視図である。図１に示すように、物品Ｗを梱包するための梱包箱Ｂは、大略、外箱１と、前記外箱１の内部に収納される同一形状の一対の枠体２、２と、前記枠体２、２にそれぞれ張り渡された伸縮性および柔軟性を有する帯状弾性部材３、３とを備えている。
【００２１】
前記各枠体２、２は、中央部に四角形の開口部２ａが設けられた枠部分２ｂと、前記枠部分２ｂに対して垂直方向に設けられた支持部分２ｃとからなり、略四角筒状に形成されている。なお、この支持部分２ｃの高さは、梱包する物品Ｗの形状や体積等に応じて適宜、変更される。
【００２２】
前記帯状弾性部材３、３は、前記枠体２、２の開口部２ａの一部を覆うように該開口部２ａに張り渡した状態で前記枠体２、２取り付けられている。具体的には、前記枠体２、２の開口部２ａの対向する２辺に平行となるように該帯状弾性部材３、３の端部が前記枠体２、２の枠部分２ｂに例えば、ステープル等の固定部材４により着脱可能に取り付けられている。
【００２３】
前記帯状弾性部材３の材質としては、例えば、ゴム素材（天然ゴム、ウレタンゴム、フッ素ゴム、ブタジエンゴム、ブチルゴム、ＮＢＲ、ＣＲ、ＳＢＲ、ＥＰＤＭ等）、軟質樹脂素材（ポリプロピレン樹脂、ポリエチレン樹脂、塩化ビニル樹脂、エチレン酢酸ビニル樹脂等）、熱可塑性エラストマー素材（ポリウレタン系、ポリエステル系、オレフィン系、スチレン系、ポリアミド系、塩化ビニル系等）が挙げられる。これらのうち、引張り強度および柔軟性を考慮すれば、ポリウレタン系熱可塑性エラストマーが好ましく、耐久性を考慮すれば、天然ゴムが好ましい。
【００２４】
外箱１は、物品Ｗを前記各枠体２、２で例えば、上下から挟み込むように保持させて内部に収納し、安全に輸送できるものであれば材質は限定しない。物品Ｗおよび枠体２、２の寸法や重量により、ダンボール箱のほか、ポリエステルやポリエチレン等のプラスチック製の箱、単独の板紙あるいは複数の板紙を積層したカートン形式の箱等、用途に合わせて使用すればよい。
【００２５】
なお、前記外箱１の形状については、物品Ｗが保持された枠体２、２を収納あるいは取り出しする際の作業性の観点から、例えば、直方体形状で、いずれかの一面が全面開口できる形状であることが好ましい。
【００２６】
前記梱包箱Ｂで物品Ｗを梱包するには、一対の枠体２、２を該枠体２、２に張り渡された帯状弾性部材３、３がそれぞれ上向きおよび下向きとなるように対向させ、前記帯状弾性部材３、３で物品Ｗを挟み込むようにする。その結果、前記帯状弾性部材３、３が物品Ｗの形状に沿って伸び、前記物品Ｗは、前記帯状弾性部材３、３の張力により枠体２、２の内部空間に中空状態で保持される。そして、内部に物品Ｗを保持した一対の枠体２、２は、外箱１の内部に収納され、この状態で輸送あるいは保管される。
【００２７】
なお、物品Ｗを外箱１に梱包する順序は、前述の例に限らず、外箱１の中に前記一対の枠体２、２のうち、一方の枠体２を予め収納しておいて、その上に物品Ｗを置き、その後、他方の枠体２で該物品Ｗを挟み込んで外箱１の蓋を閉じるという順序で行なってもよい。
【００２８】
このように、伸縮性および柔軟性を有する帯状弾性部材３、３が物品Ｗの形状に沿って伸び、その張力により物品Ｗを枠体２、２の内部空間に中空状態で保持するので、外部からの衝撃を効果的に緩衝して前記物品Ｗの損傷を防止することができる。しかも、従来のように、弾性フィルムで物品Ｗの全面を覆わないため通気性は極めて良好である。
【００２９】
また、前述の耐衝撃性が良好になるばかりでなく、物品Ｗが保持された一対の枠体２、２を外箱１に収納するため、前記一対の枠体２、２が帯状弾性部材３、３の反発力で互いに離反しないように係止するための手段が不要となる。
【００３０】
本実施例では、物品Ｗが保持された一対の枠体２、２を外箱１に収納する例を説明したが、本実施例に限定するものではなく、前記一対の枠体２、２を例えば、タイダウンストラップ等の締結手段で当接または近接した状態で固定するようにすれば、その状態で輸送あるいは保管することも可能である。
【実施例２】
【００３１】
つぎに、本発明の第２実施形態を、前記第１実施形態と異なる部分を中心にして説明する。図２は、鋭利な突起部分Ｓが形成された物品Ｗを一対の枠体（図示せず）で保持したときの斜視図である。図２（左図）に示すように、前記形状の物品Ｗを前記一対の枠体（図示せず）で挟み込むときに、前記突起部分Ｓが障害となって物品Ｗを保持できなくなることが考えられる。
【００３２】
このような場合、図２（右図）に示すように、前記枠体（図示せず）からいったん上下の帯状弾性部材３、３を外し、先ず、前記突起部分Ｓを回避できる位置に上側の帯状弾性部材３の取り付け位置を変更する。そして、前記上側の帯状弾性部材３の対応する位置に下側の帯状弾性部材３の取り付け位置を変更する。このように、前記突起部分Ｓを回避できる位置に帯状弾性部材３を取り付け直して前記物品Ｗを保持するようにすれば、前記帯状弾性部材３を損傷させることなく物品Ｗを保持することができる。また、前記突起部分Ｓには無理な力がかからないので物品Ｗを破損させることがない。
【００３３】
なお、前記下側の帯状弾性部材３の位置を変更せず、上側の帯状弾性部材３のみ取り付け位置を変更するようにしてもよい。また、仮に物品Ｗが破損しにくい材質であるならば、上下の帯状弾性部材３、３の取り付け位置を変更せず、前記上側の帯状弾性部材３のみ突起部分Ｓを強制的に回避させるようにしてもよい。
【００３４】
したがって、本発明にかかる梱包箱Ｂは、種々の形状の物品Ｗを梱包できるという汎用性があり、また、前記帯状弾性部材３の一部分が仮に損傷しても、該当する帯状弾性部材３のみを交換するだけでよいので経済性にも優れるという効果を奏する。
【００３５】
本実施例では、帯状弾性部材３、３を前記枠体２、２の開口部２ａの対向する２辺に平行となるように前記各枠体２、２の開口部２ａの一部に張り渡した例を説明したが、本実施例に限定するものではなく、例えば、前記枠体２、２の開口部２ａの対角線方向に張り渡してもよいし、前記開口部２ａの直交する２辺に十字に交差するように張り渡してもよい。
【００３６】
また、例えば、帯状弾性部材３、３を一方の枠体２の開口部２ａの長辺に平行となるように張り渡し、他方の枠体２の開口部２ａの短辺に平行となるように張り渡して前記各枠体２、２で物品Ｗを挟み込んで保持するようにしてもよい。
【００３７】
前記帯状弾性部材３の数については、物品Ｗをしっかり保持するうえで枠体２、２に２本以上取り付けることが好ましいが、物品Ｗの形状が例えば、蒲鉾板状の単純な形状であれば、幅広の帯状弾性部材３を１本ずつ前記枠体２、２に張り渡して当該物品Ｗを保持するようにしてもよい。
【実施例３】
【００３８】
つぎに、本発明の第３実施形態を、前記第１実施形態および前記第２実施形態と異なる部分を中心にして説明する。図３は、帯状弾性部材３の張力変更をするときの概略側面図であり、また、図４は上下で非対称の形状の物品Ｗを一対の枠体（図示せず）に張り渡された帯状弾性部材３、３で保持したときの斜視図である。
【００３９】
この第３実施形態おいては、図３に示すように、帯状弾性部材３、３の両端部に張力調整用孔３ａが所定ピッチで複数形成されている。前記張力調整用孔３ａは、円形の大径孔部３ｂと前記大径孔部３ｂの一端より連続して切欠かれた小幅孔部３ｃとからなる鍵穴状となっている。
【００４０】
また、枠体２、２の支持部分２ｃにおける長辺側の両面には、前記帯状弾性部材３、３を固定するための固定部材４、例えば、十字穴付皿頭木ネジ（ＪＩＳ Ｂ１１１２−１９９５）が各面に２個ずつ取り付けられている。
【００４１】
これにより、前記張力調整用孔３ａの大径孔部３ｂが前記十字穴付皿頭木ネジで係止されるとともに、帯状弾性部材３の引張り反力で帯状弾性部材３が簡単に脱落しないようになっている。前記帯状弾性部材３を固定部材４（十字穴付皿頭木ネジ）から外す場合は、固定部材４（十字穴付皿頭木ネジ）が小幅孔部３ｃの位置にくるように引張り、その状態で該帯状弾性部材３を捻って外す。
【００４２】
そして、前記帯状弾性部材３に十分な張力を発揮させるには、図３に示すように、いったん、該帯状弾性部材３を固定部材４から外し、前記帯状弾性部材３をＸ方向に引っ張り、前記張力調整用孔３の位置をイの位置からロの位置になるように該帯状弾性部材３を固定部材４に引っ掛ける。なお、前記帯状弾性部材３の張力を緩める場合は、前述の逆動作を行なえばよい。
【００４３】
ここで、図４に示すように、例えば、Ｗａ部分とＷｂ部分とで嵩の高さが異なる略Ｌ字形状の物品Ｗを、一対の枠体（図示せず）に張り渡された帯状弾性部材３、３で保持する場合、前記Ｗａ部分を担当する帯状弾性部材３は適切な張力を有していないと前記Ｗａ部分を適切な保持力で保持することができない。
【００４４】
そのため、前記Ｗａ部分を担当する帯状弾性部材３に対して十分な張力を発揮させるよう、張力調整用孔３ａの位置を変更する。その後、一対の枠体（図示せず）を該枠体に張り渡された帯状弾性部材３、３を上向きおよび下向きとなるように対向させ、前記帯状弾性部材３、３で物品Ｗを挟み込むようにする。
【００４５】
このように、前記物品Ｗにおける嵩が低いＷａ部分と、嵩が高いＷｂ部分に応じて適宜、張力が異なる帯状弾性部材３、３を用いることで前記形状の物品Ｗを適切な保持力で保持できる。したがって、本発明にかかる梱包箱Ｂは、種々の形状の物品Ｗを梱包できるという汎用性を備えている。
【００４６】
本実施例では、帯状弾性部材３、３の両端部に鍵穴状の張力調整用孔３ａを所定ピッチで複数形成し、前記張力調整用孔３ａの位置を変化させて該帯状弾性部材３、３の張力を調節する例を説明したが、これに限らず、前記帯状弾性部材３、３に十分な張力を発揮させる場合は、現状、枠体（図示せず）に取り付けられている帯状弾性部材３よりも短い帯状弾性部材３に取り換え、逆に、前記帯状弾性部材３の張力を緩める場合は、現状、枠体（図示せず）に取り付けられている帯状弾性部材３よりも長い帯状弾性部材３に取り換えて対応してもよい。
【図面の簡単な説明】
【００４７】
【図１】本発明にかかる梱包箱Ｂの中に物品Ｗを梱包する状態を説明する分解斜視図である。
【図２】鋭利な突起部分Ｓが形成された物品Ｗを一対の枠体（図示せず）で保持したときの斜視図である。
【図３】帯状弾性部材３の張力変更をするときの概略側面図である。
【図４】上下で非対称な形状の物品Ｗを一対の枠体（図示せず）に張り渡された帯状弾性部材３、３で保持したときの斜視図である。
【図５】従来の梱包箱Ｂによる物品Ｗの保持状態を説明する断面図である。
【符号の説明】
【００４８】
１  外箱、２  枠体、３  帯状弾性部材、４  固定部材、  Ｗ  物品
【図１】
2007030892.tif 000003
【図２】
2007030892.tif 000004
【図３】
2007030892.tif 000005
【図４】
2007030892.tif 000006
【図５】
2007030892.tif 000007